(57)【要約】【課題】  導線でできる磁気の光子のエネルギーと、原子から放出する万有引力と成っている磁気の光子のエネルギーの比較。万有引力と成っている磁気の光子は理論値の磁気の光子の何パーセントか。導線でできる磁気の光子のエネルギーは理論値と同じであるか。【解決手段】  導線で、１個の自由電子のラブが１秒間に作る磁気の光子のエネルギーと、原子の１個の電子のラブが１秒間に作る万有引力と成る磁気の光子のエネルギーを比較する。この値をａとする。１秒間に１個の電子のラブが１０２４個の電気の光子を作るので、このエネルギーを８×１０−１４Ｊとして、電気の光子１個のエネルギーと磁気の光子１個のエネルギーを計算する。このエネルギーを理論値とする。ａの値と、原子でできる磁気の光子１個のエネルギーの理論値と万有引力と成る磁気の光子１個のエネルギーの値の比較によって、導線でできる磁気の光子が理論値であるかどうか理解できる。【選択図】  図１
2005285752.tif 000002
【特許請求の範囲】
【請求項１】
１Ａの導線を走る自由電子のラブと自由電子のラブによってできる電気の光子と磁気の光子について次のことが理解できる。
１．１Ａ．・１ｍでできる磁気の光子のエネルギーはいくらか。
（１０−７）１／２Ｊ＝３．１６×１０−４Ｊ  です。
２．１Ａ・１秒でできる磁気の光子のエネルギーはいくらか。
（自由電子のラブは導線を１秒間に３×１０８ｍ走ると仮定する。）
３．１６×１０−４Ｊ×３×１０８ｍ＝９．４８×１０４Ｊ  です。
３．１Ａ・１ｍには、どれだけの電気の光子が走っているか。
３．１６×１０−４Ｊ×８×１０７倍＝２．５２８×１０４Ｊ  です。
４．１Ａ・１秒には、どれだけの電気の光子が走っているか。
（電気の光子は導線を１秒間に３×１０８ｍ走ると仮定する。）
２．５２８×１０４Ｊ×３×１０８ｍ＝７．５８４×１０１２Ｊ  です。
５．電気の光子１個は、１秒間にどれだけのエネルギーを作るか。
電子のラブは１秒間に８×１０−１４Ｊのエネルギーを作る。
１個の自由電子のラブから１０８個の電気の光子ができる。
自由電子のラブのエネルギーが、１００％電気の光子のエネルギーに成るとすると、
電気の光子１個が１秒間に作るエネルギーは、
８×１０−１４Ｊ÷１０８個＝８×１０−２２Ｊ    作る。
６．１Ａ・１秒に、電気の光子は何個走っているか。
７．５８４×１０１２Ｊ÷（８×１０−２２Ｊ）＝０．９４８×１０３４個です。
７．１Ａ・１ｍに、電気の光子は何個走っているか。
０．９４８×１０３４個÷（３×１０８ｍ）＝３．１６×１０２５個です。
８．１Ａ・１秒に、自由電子のラブは何個走っているか。
７．５８４×１０１２Ｊ÷（８×１０−１４Ｊ）＝０．９４８×１０２６個です。
９．１Ａ・１ｍに、自由電子のラブは何個走っているか。
０．９４８×１０２６個÷（３×１０８ｍ）＝３．１６×１０１７個です。
１０．１Ａ・１秒に、磁気の光子は何個できるか。
電気の光子の８×１０７倍できるから、
０．９４８×１０３４個×８×１０７倍＝７．５８４×１０４１個できる。
１１．１Ａ・１ｍに、磁気の光子は何個できるか。
７．５８４×１０４１個÷（３×１０８ｍ）＝２．５１８×１０３３個できる。
１２．１Ａ・１ｍにおいて、１個の自由電子のラブが作る磁気の光子の数は何個か。
０．５２８×１０３３個÷（３．１６×１０１７個）＝８×１０１５個です。
１３．１Ａ・１秒において、１個の自由電子のラブが作る磁気の光子の数は何個か。
７．５８４×１０４１個÷（０．９４８×１０２６個）＝８×１０１５個です。
１４．１Ａ・１ｍにおいて、１個の自由電子のラブが作る電気の光子のエネルギーはいくらか。
２．５２８×１０４Ｊ÷（３．１６×１０１７個）＝８×１０−１４Ｊです。
１５．１Ａ・１秒において、１個の自由電子のラブが作る電気の光子のエネルギーはいくらか。
７．５８４×１０１２Ｊ÷（０．９４８×１０２６個）＝８×１０−１４Ｊです。
１６．１Ａ・１ｍにおいて、１個の自由電子のラブが作る磁気の光子のエネルギーはいくらか。
３．１６×１０−４Ｊ÷（３．１６×１０１７個）＝１０−２１Ｊです。
１７．１Ａ・１秒において、１個の自由電子のラブが作る磁気の光子のエネルギーはいくらか。
９．４８×１０４Ｊ÷（０．９４８×１０２６個）＝１０−２１Ｊです。
１８．１個の自由電子のラブが作る電気の光子のエネルギーは磁気の光子のエネルギーの何倍か。
１個の電子のラブが作る電気の光子のエネルギーは８×１０−１４Ｊで、磁気の光子は１０−２１Ｊですから、
８×１０−１４Ｊ÷１０−２１Ｊ＝８×１０７倍である。
１９．電気の光子１個のエネルギーはいくらか。
▲１▼  １個の自由電子のラブから１０８個の電気の光子ができる。
自由電子のラブのエネルギーが１００パーセント電気の光子のエネルギーになると仮定すると、電気の光子１個のエネルギーは、
８×１０−１４Ｊ÷１０８個＝８×１０−２２Ｊ  です。
▲２▼１Ａ・１ｍにおいて、電気の光子のエネルギーは２．５２８×１０４Ｊで、電気の光子の数は３．１６×１０２５個であるから、電気の光子１個のエネルギーは、
２．５２８×１０４Ｊ÷（３．１６×１０２５個）＝８×１０−２２Ｊです。
この事によって、自由電子のラブのエネルギーは１００％電気の光子のエネルギーになっている事が理解できます。
２０．磁気の光子１個のエネルギーはいくらか。
▲１▼  １個の自由電子のラブが作る磁気の光子のエネルギーは１０−２１Ｊです。これは自由電子のラブのエネルギーが理論上１００％磁気の光子になる場合のエネルギーです。
１個の自由電子のラブから８×１０１５個の磁気の光子ができる。
磁気の光子１個のエネルギーは、
１０−２１Ｊ÷（８×１０１５個）＝１．２５×１０−３７Ｊ  です。
▲２▼１Ａ・１ｍにおいて、磁気の光子のエネルギーは３．１６×１０−４Ｊで、磁気の光子の数は２．５１８×１０３３個である。
磁気の光子１個のエネルギーは、
３．１６×１０−４Ｊ÷（２．５１８×１０３３個）＝１．２５５×１０−３７Ｊです。
この事によって、導線では、１００％の磁気の光子ができる事が理解できる。
２１．電気の光子１個のエネルギーは磁気の光子１個のエネルギーの何倍か。
電気の光子１個のエネルギーは８×１０−２２Ｊで、
磁気の光子１個のエネルギーは１．２５×１０−３７Ｊです。
電気の光子１個のエネルギーは磁気の光子１個のエネルギーの
８×１０−２２Ｊ÷（１．２５×１０−３７Ｊ）＝６．４×１０１５倍です。
２２．１個の自由電子のラブが作る磁気の光子のエネルギーは、電子のラブのエネルギーのどれ位に相当するか。
１個の自由電子のラブが作る磁気の光子のエネルギーは１０−２１Ｊですから、
１０−２１Ｊ÷（８×１０−１４Ｊ）＝１．２５×１０−８倍です。
【請求項２】
原子の電子のラブが作る万有引力となっている磁気の光子と、１Ａの導線を走る自由電子のラブが作る磁気の光子について、次のことが理解できる。
２３．導線を走る自由電子のラブが作る磁気の光子のエネルギーは、原子の電子のラブが作る万有引力となる磁気の光子のエネルギーの何倍か。
原子では、１個の電子のラブが作る万有引力は１．６３３７６×１０−３１Ｊです。
１Ａの導線では、１個の自由電子のラブが作る磁気の光子のエネルギーは１０−２１Ｊです。
それで、導線を走る自由電子のラブが作る磁気の光子のエネルギーは、原子の電子のラブが作る万有引力となる磁気の光子のエネルギーの、
１０−２１Ｊ÷（１．６３３７６×１０−３１Ｊ）＝６．１２×１０９倍です。
２４．導線でできる磁気の光子１個のエネルギーは、原子でできる万有引力となる磁気の光子１個のエネルギーの何倍か。
導線では、引力となる１個の磁気の光子のエネルギーは１．２５×１０−３７Ｊです。
原子では、万有引力となる１個の磁気の光子のエネルギーは６．２×１０−５５Ｊです。
１．２５×１０−３７Ｊ÷（６．２×１０−５５Ｊ）＝２×１０１７倍です。
２５．原子の電子のラブの自転数は、導線における自由電子のラブの自転数の何倍か。
原子では、電子のラブは１秒間に１０３２回自転する。
導線では、自由電子のラブは１秒間に８×１０１５回自転する。
１０３２÷（８×１０１５）＝１．２５×１０１６倍である。
それで、回転数が多い程、できるエネルギーは小さくなる。
２６．原子の、１個の電子のラブが１秒間に作る万有引力となる磁気の光子のエネルギーはいくらか。
原子の電子のラブは１秒間に１０３２回自転し、１０３２個の磁気の光子を作り、万有引力と成る１個の磁気の光子のエネルギーは６．２×１０−５５です。
原子の、１個の電子のラブが１秒間に作る万有引力となる磁気の光子のエネルギーは、
１０３２個×６．２×１０−５５Ｊ＝６．２×１０−２３Ｊです。
２７．導線の中で、１個の自由電子のラブが１秒間に作る磁気の光子のエネルギーはいくらか。
導線の中で、自由電子のラブは１秒間に８×１０１５回自転し、８×１０１５個の磁気の光子を作り、１個の磁気の光子のエネルギーは１．２５×１０−３７Ｊです。
導線の中で、１個の自由電子のラブが１秒間に作る磁気の光子のエネルギーは、
８×１０１５個×１．２５×１０−３７Ｊ＝１０−２１Ｊです。
２８．導線の中で、自由電子のラブが作る磁気の光子のエネルギーは、原子で、電子のラブが作る万有引力となる磁気の光子のエネルギーの何倍か。
１秒間に、引力となる磁気の光子のエネルギーは、
原子で、１個の電子のラブから６．２×１０−２３Ｊでき、
導線の中で、１個の自由電子のラブから１０−２１Ｊできる。
導線の中で、自由電子のラブが作る磁気の光子のエネルギーは、原子で、電子のラブが作る万有引力となる磁気の光子のエネルギーの
１０−２１Ｊ÷（６．２×１０−２３Ｊ）＝１６．１３倍です。
この事は、導線でできる磁気の光子は理論値の１００％であり、万有引力になっている磁気の光子はその
１÷１６．１３×１００＝６．２％です。
【請求項３】
原子において、電子のラブのエネルギーが１００％電気の光子になり、磁気の光子になる場合。これを理論値とする。
２９．電子のラブは１秒間に８×１０−１４Ｊの仕事をする。このエネルギーが１００％電気の光子のエネルギーとなる場合、電気の光子１個のエネルギーはいくらか。
１秒間に１個の電子のラブから電気の光子は１０２４個できるから、電気の光子１個のエネルギーは、
８×１０−１４Ｊ÷１０２４個＝８×１０−３８Ｊです。
３０．磁気の光子１個のエネルギーはいくらか。
磁気の光子１個のエネルギーは電気の光子１個のエネルギーの８×１０１５分の１ですから、磁気の光子１個のエネルギーは、
８×１０−３８Ｊ÷（８×１０１５）＝１０−５３Ｊです。
３１．１秒間にできる電気の光子のエネルギーの式はどのようであるか。
１秒間にできる電気の光子のエネルギー＝電子のラブの１秒間の公転数×１０８×電気の光子１個のエネルギー。
電子のラブの１秒間の公転数は１０１６回です。１回公転すると１０８個の電気の光子ができる。
電気の光子１個のエネルギーは８×１０−３８Ｊです。
１秒間にできる電気の光子のエネルギー＝１０１６×１０８×８×１０−３８Ｊ＝８×１０−１４Ｊ。
３２．１秒間にできる磁気の光子のエネルギーの式はどのようであるか。
１秒間にできる磁気の光子のエネルギー＝電子のラブの１秒間の自転数×磁気の光子１個のエネルギー。
原子の電子のラブの自転数は１０３２回で、磁気の光子１個のエネルギーは１０−５３Ｊですから、１秒間にできる磁気の光子のエネルギーは、
１０３２回×１０−５３Ｊ＝１０−２１Ｊです。
３３．原子において、万有引力となっている磁気の光子のエネルギーは理論値の何パーセントか。
万有引力となっている磁気の光子１個のエネルギーは６．２×１０−５５Ｊで、理論値は１０−５３Ｊですから、
６．２×１０−５５Ｊ÷１０−５３Ｊ×１００＝６．２％です。
この事は、原子から放出する磁気の光子の回転方向はまちまちであり、６．２％だけが同じ方向であることを示す。放出する磁気の光子のうち６．２％だけが万有引力になっている。
３４．原子から放出する磁気の光子の６．２％が万有引力に成っていることはどのような事か。
実際に、１個の電子のラブから１秒間に放出して万有引力になっている磁気の光子１個のエネルギーと数はいくらか。
原子の電子のラブから放出する磁気の光子は全て理論値である１０−５３Ｊです。
放出する全ての磁気の光子のうち６．２％だけが、重なり合うエネルギーと成っている事を示す。
即ち、万有引力と成っている磁気の光子１個のエネルギーは６．２×１０−５５Ｊではなく、１０−５３Ｊです。
１個の電子のラブから１秒間に、磁気の光子は１０３２個できるので、この６．２％が万有引力と成る。
１０３２個×０．０６２＝６．２×１０３０個。
磁気の光子１個のエネルギーは１０−５３Ｊですから、
１個の電子のラブから１秒間に放出する万有引力と成る磁気の光子のエネルギーは、
６．２×１０３０個×１０−５３Ｊ＝６．２×１０−２３Ｊです。
３５．２８．と３３．から、導線において、電子のラブのエネルギーが１００％電気の光子のエネルギーに成っている事が理解できた。この事は何を意味するか。
電子のラブの８×１０−１４Ｊのエネルギーは、公転し８×１０−１４Ｊの電気の光子を作るエネルギーである。そして、自転し１０−２１Ｊの磁気の光子を作るエネルギーである。
電子のラブは１秒間に８×１０−１４Ｊの仕事をする。このエネルギーが１００％電気の光子の仕事エネルギーとなる。
電子のラブは１秒間公転し（走って）８×１０−１４Ｊの仕事をし、そのエネルギーを電気の光子のエネルギーとし、１秒間自転し１０−２１Ｊの仕事をし、そのエネルギーを磁気の光子のエネルギーにする素粒子である。
【発明の詳細な説明】
【技術分野】
【０００１】  この発明は、１Ａの導線を流れる電流と導線から放出する磁気に関する。
又、導線から放出する磁気と、原子の電子から放出する万有引力と成っている磁気の比較に関する。
原子の電子から放出する磁気の光子の中で、何パーセントの磁気の光子が万有引力になっているかに関する。
【背景技術】
【０００２】  この発明は本発明者が２００４年１１月２２日に提出した特願２００４−３６８４５９と２００４年１２月２１に提出した特許願のまとめである。
従来、導線の電流はどのような原理によってできるか、磁気はどのような原理によってできるか理解されていない。
万有引力と成っている磁気は、原子から放出する磁気の何パーセントであるか理解されていない。
【本発明が解決しようとする課題】
【０００３】（１）１Ａの導線を走る電子のラブと電子のラブによってできる電気の光子と磁気の光子について理解できる事。
１．１Ａ・１ｍでできる磁気の光子のエネルギーはいくらか。
２．１Ａ・１秒でできる磁気の光子のエネルギーはいくらか。
３．１Ａ・１ｍにはどれだけの電気の光子が走っているか。
４．１Ａ・１秒にはどれだけの電気の光子が走っているか。
５．電気の光子１個は、１秒間にどれだけのエネルギーを作るか。
６．１Ａ・１秒に、電気の光子は何個走っているか。
７．１Ａ・１ｍに、電気の光子は何個走っているか。
８．１Ａ・１秒に、電子のラブは何個走っているか。
９．１Ａ・１ｍに、電子のラブは何個走っているか。
１０．  １Ａ・１秒に、磁気の光子は何個できるか。
１１．  １Ａ・１ｍに、磁気の光子は何個できるか。
１２．  １Ａ・１ｍにおいて、１個の電子のラブが作る磁気の光子の数はいくらか。
１３．  １Ａ・１秒において、１個の電子のラブが作る磁気の光子の数はいくらか。
１４．  １Ａ・１ｍにおいて、１個の電子のラブが作る電気の光子のエネルギーはいくらか。
１５．  １Ａ・１秒において、１個の電子のラブが作る電気の光子のエネルギーはいくらか。
１６．  １Ａ・１ｍにおいて、１個の電子のラブが作る磁気の光子のエネルギーはいくらか。
１７．  １Ａ・１秒において、１個の電子のラブが作る磁気の光子のエネルギーはいくらか。
１８．  １個の電子のラブが作る電気の光子のエネルギーは磁気の光子のエネルギーの何倍か。
１９．  電気の光子１個のエネルギーはいくらか。
２０．  磁気の光子１個のエネルギーはいくらか。
２１．  電気の光子１個のエネルギーは磁気の光子１個のエネルギーの何倍か。
２２．  １個の電子のラブが作る磁気の光子のエネルギーは、電子のラブのエネルギーのどれ位に相当するか。
（２）原子の電子のラブが作る万有引力となる磁気の光子と、１Ａの導線を走る自由電子のラブが作る磁気の光子について理解できる事。
２３．  導線を走る１個の自由電子のラブが作る磁気の光子のエネルギーは、原子の１個の電子のラブが作る万有引力となる磁気の光子のエネルギーの何倍か。
２４．  導線でできる磁気の光子１個のエネルギーは、原子でできる万有引力となる磁気の光子１個のエネルギーの何倍か。
２５．  原子の電子のラブの１秒間の自転数は、導線で、自由電子のラブの１秒間の自転数の何倍か。
２６．  原子の１個の電子のラブが１秒間に作る万有引力となる磁気の光子のエネルギーはいくらか。
２７．  導線の中で、１個の自由電子のラブが１秒間に作る磁気の光子のエネルギーはいくらか。
２８．導線の中の自由電子のラブが作る引力となる磁気の光子のエネルギーは、原子の電子のラブが作る引力となる磁気の光子のエネルギーの何倍か。
（３）原子において、電子のラブのエネルギーが１００％電気の光子のエネルギーとなり、磁気の光子のエネルギーとなる場合。これを理論値とする。
２９．電気の光子１個の理論値のエネルギーはいくらか。
３０．磁気の光子１個の理論値のエネルギーはいくらか。
３１．１秒間にできる電気の光子のエネルギーを求める式はどのようであるか。
３２．１秒間にできる磁気の光子のエネルギーを求める式はどのようであるか。
３３．原子において、万有引力となっている磁気の光子のエネルギーは理論値の何パーセントか。
３４．原子から放出する磁気の光子の６．２％が万有引力に成っている事はどのような事か。
実際に、１個の電子のラブから１秒間に放出して万有引力になっている磁気の光子１個のエネルギーと数はいくらか。
３５．  導線において、自由電子のラブのエネルギーが１００％電気の光子のエネルギーに成っている事が理解できた。この事は何を意味するか。
【課題を解決するための手段】
【０００４】  この発明は２００４年１１月２２日提出の特願２００４−３６８４５９と、２００４年１２月２１日提出の特許願いのまとめである。
導線で、１個の自由電子のラブが１秒間に作る磁気の光子のエネルギーと、原子の１個の電子のラブが１秒間に作る万有引力と成る磁気の光子のエネルギーを比較する。
１秒間に１個の電子のラブが１０２４個の電気の光子を作るので、このエネルギーを８×１０−１４Ｊとして、電気の光子１個のエネルギーと磁気の光子１個のエネルギーを計算する。このエネルギーを理論値とする。
本発明者は、導線を走る電子のラブのエネルギーが１００％電気の光子のエネルギーと成っているとし、電気の光子１個のエネルギーを８×１０−２２Ｊとした。これは正しい値であるか。
ａ導線で、１個の自由電子のラブが１秒間に作る磁気の光子のエネルギーと、原子の１個の電子のラブが１秒間に作る万有引力となる磁気の光子のエネルギーを比較する。
ｂ原子において、電子のラブのエネルギーが１００％電気の光子のエネルギーとなると仮定し、磁気の光子１個のエネルギーを求める。これを理論値とする。
そして、原子の電子のラブによってできる万有引力と成る磁気の光子１個のエネルギーと理論値である磁気の光子のエネルギーと比較する。
ａの値とｂの値が同じであるならば、導線でできる磁気の光子のエネルギーは理論値である。
導線では理論値の電気の光子と磁気の光子ができることが理解できる。
電子のラブは自分のエネルギーを１００％電気の光子とし、１０−２１Ｊ磁気の光子のエネルギーとすることにより、原子より放出する磁気の光子は理論値である。
理論値の６．２％が万有引力と成るのであるから、実際、１個の電子のラブから１秒間に放出する万有引力と成っている磁気の光子１個のエネルギーと数はいくらかを理解できる。
【発明の実施態様】
【０００５】（１）  １Ａの導線を走る自由電子のラブと自由電子のラブによってできる電気の光子と磁気の光子について次のことが理解できる。
１．１Ａ．・１ｍでできる磁気の光子のエネルギーはいくらか。
（１０−７）１／２Ｊ＝３．１６×１０−４Ｊ  です。
２．１Ａ・１秒でできる磁気の光子のエネルギーはいくらか。
（自由電子のラブは導線を１秒間に３×１０８ｍ走ると仮定する。）
３．１６×１０−４Ｊ×３×１０８ｍ＝９．４８×１０４Ｊ  です。
３．１Ａ・１ｍには、どれだけの電気の光子が走っているか。
３．１６×１０−４Ｊ×８×１０７倍＝２．５２８×１０４Ｊ  です。
４．１Ａ・１秒には、どれだけの電気の光子が走っているか。
（電気の光子は導線を１秒間に３×１０８ｍ走ると仮定する。）
２．５２８×１０４Ｊ×３×１０８ｍ＝７．５８４×１０１２Ｊ  です。
５．電気の光子１個は、１秒間にどれだけのエネルギーを作るか。
電子のラブは１秒間に８×１０−１４Ｊのエネルギーを作る。
１個の自由電子のラブから１０８個の電気の光子ができる。
自由電子のラブのエネルギーが、１００％電気の光子のエネルギーに成るとすると、
電気の光子１個が１秒間に作るエネルギーは、
８×１０−１４Ｊ÷１０８個＝８×１０−２２Ｊ  作る。
６．１Ａ・１秒に、電気の光子は何個走っているか。
７．５８４×１０１２Ｊ÷（８×１０−２２Ｊ）＝０．９４８×１０３４個です。
７．１Ａ・１ｍに、電気の光子は何個走っているか。
０．９４８×１０３４個÷（３×１０８ｍ）＝３．１６×１０２５個です。
８．１Ａ・１秒に、自由電子のラブは何個走っているか。
７．５８４×１０１２Ｊ÷（８×１０−１４Ｊ）＝０．９４８×１０２６個です。
９．１Ａ・１ｍに、自由電子のラブは何個走っているか。
０．９４８×１０２６個÷（３×１０８ｍ）＝３．１６×１０１７個です。
１０．１Ａ・１秒に、磁気の光子は何個できるか。
電気の光子の８×１０７倍できるから、
０．９４８×１０３４個×８×１０７倍＝７．５８４×１０４１個できる。
１１．１Ａ・１ｍに、磁気の光子は何個できるか。
７．５８４×１０４１個÷（３×１０８ｍ）＝２．５１８×１０３３個できる。
１２．１Ａ・１ｍにおいて、１個の自由電子のラブが作る磁気の光子の数は何個か。
０．５２８×１０３３個÷（３．１６×１０１７個）＝８×１０１５個です。
１３．１Ａ・１秒において、１個の自由電子のラブが作る磁気の光子の数は何個か。
７．５８４×１０４１個÷（０．９４８×１０２６個）＝８×１０１５個です。
１４．１Ａ・１ｍにおいて、１個の自由電子のラブが作る電気の光子のエネルギーはいくらか。
２．５２８×１０４Ｊ÷（３．１６×１０１７個）＝８×１０−１４Ｊです。
１５．１Ａ・１秒において、１個の自由電子のラブが作る電気の光子のエネルギーはいくらか。
７．５８４×１０１２Ｊ÷（０．９４８×１０２６個）＝８×１０−１４Ｊです。
１６．１Ａ・１ｍにおいて、１個の自由電子のラブが作る磁気の光子のエネルギーはいくらか。
３．１６×１０−４Ｊ÷（３．１６×１０１７個）＝１０−２１Ｊです。
１７．１Ａ・１秒において、１個の自由電子のラブが作る磁気の光子のエネルギーはいくらか。
９．４８×１０４Ｊ÷（０．９４８×１０２６個）＝１０−２１Ｊです。
１８．１個の自由電子のラブが作る電気の光子のエネルギーは磁気の光子のエネルギーの何倍か。
１個の電子のラブが作る電気の光子のエネルギーは８×１０−１４Ｊで、磁気の光子は１０−２１Ｊですから、
８×１０−１４Ｊ÷１０−２１Ｊ＝８×１０７倍である。
１９．電気の光子１個のエネルギーはいくらか。
▲１▼  １個の自由電子のラブから１０８個の電気の光子ができる。
自由電子のラブのエネルギーが１００パーセント電気の光子のエネルギーになると仮定すると、電気の光子１個のエネルギーは、
８×１０−１４Ｊ÷１０８個＝８×１０−２２Ｊ  です。
▲２▼１Ａ・１ｍにおいて、電気の光子のエネルギーは２．５２８×１０４Ｊで、電気の光子の数は３．１６×１０２５個であるから、電気の光子１個のエネルギーは、
２．５２８×１０４Ｊ÷（３．１６×１０２５個）＝８×１０−２２Ｊです。
この事によって、自由電子のラブのエネルギーは１００％電気の光子のエネルギーになっている事が理解できます。
２０．磁気の光子１個のエネルギーはいくらか。
▲１▼  １個の自由電子のラブが作る磁気の光子のエネルギーは１０−２１Ｊです。これは自由電子のラブのエネルギーが理論上１００％磁気の光子になる場合のエネルギーです。
１個の自由電子のラブから８×１０１５個の磁気の光子ができる。
磁気の光子１個のエネルギーは、
１０−２１Ｊ÷（８×１０１５個）＝１．２５×１０−３７Ｊ  です。
▲２▼１Ａ・１ｍにおいて、磁気の光子のエネルギーは３．１６×１０−４で、磁気の光子の数は２．５１８×１０３３個である。
磁気の光子１個のエネルギーは、
３．１６×１０−４Ｊ÷（２．５１８×１０３３個）＝１．２５５×１０−３７Ｊです。
この事によって、導線では、１００％の磁気の光子ができる事が理解できる。
２１．電気の光子１個のエネルギーは磁気の光子１個のエネルギーの何倍か。
電気の光子１個のエネルギーは８×１０−２２Ｊで、
磁気の光子１個のエネルギーは１．２５×１０−３７Ｊです。
電気の光子１個のエネルギーは磁気の光子１個のエネルギーの、
８×１０−２２Ｊ÷（１．２５×１０−３７Ｊ）＝６．４×１０１５倍です。
２２．１個の自由電子のラブが作る磁気の光子のエネルギーは、電子のラブのエネルギーのどれ位に相当するか。
１個の自由電子のラブが作る磁気の光子のエネルギーは１０−２１Ｊですから、
１０−２１Ｊ÷（８×１０−１４Ｊ）＝１．２５×１０−８倍です。
（２）  原子の電子のラブが作る万有引力となっている磁気の光子と、１Ａの導線を走る自由電子のラブが作る磁気の光子について、次のことが理解できる。
２３．導線を走る自由電子のラブが作る磁気の光子のエネルギーは、原子の電子のラブが作る万有引力となる磁気の光子のエネルギーの何倍か。
原子では、１個の電子のラブが作る万有引力は１．６３３７６×１０−３１Ｊです。
１Ａの導線では、１個の自由電子のラブが作る磁気の光子のエネルギーは１０−２１Ｊです。
それで、導線を走る自由電子のラブが作る磁気の光子のエネルギーは、原子の電子のラブが作る万有引力となる磁気の光子のエネルギーの、
１０−２１Ｊ÷（１．６３３７６×１０−３１Ｊ）＝６．１２×１０９倍です。
２４．導線でできる磁気の光子１個のエネルギーは、原子でできる万有引力となる磁気の光子１個のエネルギーの何倍か。
導線では、引力となる１個の磁気の光子のエネルギーは１．２５×１０−３７Ｊです。
原子では、万有引力となる１個の磁気の光子のエネルギーは６．２×１０−５５Ｊです。
１．２５×１０−３７Ｊ÷（６．２×１０−５５Ｊ）＝２×１０１７倍です。
２５．原子の電子のラブの自転数は、導線における自由電子のラブの自転数の何倍か。
原子では、電子のラブは１秒間に１０３２回自転する。
導線では、自由電子のラブは１秒間に８×１０１５回自転する。
１０３２÷（８×１０１５）＝１．２５×１０１６倍である。
それで、回転数が多い程、できるエネルギーは小さくなる。
２６．原子の１個の電子のラブが１秒間に作る万有引力となる磁気の光子のエネルギーはいくらか。
原子の電子のラブは１秒間に１０３２回自転し、１０３２個の磁気の光子を作り、万有引力と成る１個の磁気の光子のエネルギーは６．２×１０−５５です。
原子の１個の電子のラブが１秒間に作る万有引力となる磁気の光子のエネルギーは、
１０３２個×６．２×１０−５５Ｊ＝６．２×１０−２３Ｊです。
２７．導線の中で、１個の自由電子のラブが１秒間に作る磁気の光子のエネルギーはいくらか。
導線の中で、自由電子のラブは１秒間に８×１０１５回自転し、８×１０１５個の磁気の光子を作り、１個の磁気の光子のエネルギーは１．２５×１０−３７Ｊです。
導線の中で、１個の自由電子のラブが１秒間に作る磁気の光子のエネルギーは、
８×１０１５個×１．２５×１０−３７Ｊ＝１０−２１Ｊです。
２８．導線の中で、自由電子のラブが作る磁気の光子のエネルギーは、原子で、電子のラブが作る万有引力となる磁気の光子のエネルギーの何倍か。
１秒間に、引力となる磁気の光子のエネルギーは、
原子で、１個の電子のラブから６．２×１０−２３Ｊでき、
導線の中で、１個の自由電子のラブから１０−２１Ｊできる。
導線の中で、自由電子のラブが作る磁気の光子のエネルギーは、原子で、電子のラブが作る万有引力となる磁気の光子のエネルギーの
１０−２１Ｊ÷（６．２×１０−２３Ｊ）＝１６．１３倍です。
この事は、導線でできる磁気の光子は理論値の１００％であり、万有引力になっている磁気の光子はその
１÷１６．１３×１００＝６．２％です。
（３）  原子において、電子のラブのエネルギーが１００％電気の光子になり、磁気の光子になる場合。これを理論値とする。
２９．電子のラブは１秒間に８×１０−１４Ｊの仕事をする。このエネルギーが１００％電気の光子のエネルギーとなる場合、電気の光子１個のエネルギーはいくらか。
１秒間に１個の電子のラブから電気の光子は１０２４個できるから、電気の光子１個のエネルギーは、
８×１０−１４Ｊ÷１０２４個＝８×１０−３８Ｊです。
３０．磁気の光子１個のエネルギーはいくらか。
磁気の光子１個のエネルギーは電気の光子１個のエネルギーの８×１０１５分の１ですから、磁気の光子１個のエネルギーは、
８×１０−３８Ｊ÷（８×１０１５）＝１０−５３Ｊです。
３１．１秒間にできる電気の光子のエネルギーの式はどのようであるか。
１秒間にできる電気の光子のエネルギー＝電子のラブの１秒間の公転数×１０８×電気の光子１個のエネルギー。
電子のラブの１秒間の公転数は１０１６回です。１回公転すると１０８個の電気の光子ができる。
電気の光子１個のエネルギーは８×１０−３８Ｊです。
１秒間にできる電気の光子のエネルギー＝１０１６×１０８×８×１０−３８Ｊ＝８×１０−１４Ｊ。
３２．１秒間にできる磁気の光子のエネルギーの式はどのようであるか。
１秒間にできる磁気の光子のエネルギー＝電子のラブの１秒間の自転数×磁気の光子１個のエネルギー。
原子の電子のラブの自転数は１０３２回で、磁気の光子１個のエネルギーは１０−５３Ｊですから、１秒間にできる磁気の光子のエネルギーは、
１０３２回×１０−５３Ｊ＝１０−２１Ｊです。
３３．原子において、万有引力となっている磁気の光子のエネルギーは理論値の何パーセントか。
万有引力となっている磁気の光子１個のエネルギーは６．２×１０−５５Ｊで、理論値は１０−５３Ｊですから、
６．２×１０−５５Ｊ÷１０−５３Ｊ×１００＝６．２％です。
この事は、原子から放出する磁気の光子の回転方向はまちまちであり、６．２％だけが同じ方向であることを示す。放出する磁気の光子のうち６．２％だけが万有引力になっている。
３４．原子から放出する磁気の光子の６．２％が万有引力に成っていることはどのような事か。
実際に、１個の電子のラブから１秒間に放出して万有引力になっている磁気の光子１個のエネルギーと数はいくらか。（図１）
原子の電子のラブから放出する磁気の光子は全て理論値である１０−５３Ｊです。
放出する全ての磁気の光子のうち６．２％だけが、重なり合うエネルギーと成っている事を示す。
即ち、万有引力と成っている磁気の光子１個のエネルギーは６．２×１０−５５Ｊではなく、１０−５３Ｊです。
１個の電子のラブから１秒間に、磁気の光子は１０３２個できるので、この６．２％が万有引力と成る。
１０３２個×０．０６２＝６．２×１０３０個。
磁気の光子１個のエネルギーは１０−５３Ｊですから、
１個の電子のラブから１秒間に放出する万有引力と成る磁気の光子のエネルギーは、
６．２×１０３０個×１０−５３Ｊ＝６．２×１０−２３Ｊです。
３５．２８．と３３．から、導線において、電子のラブのエネルギーが１００％電気の光子のエネルギーに成っている事が理解できた。この事は何を意味するか。
電子のラブの８×１０−１４Ｊのエネルギーは、公転し８×１０−１４Ｊの電気の光子を作るエネルギーである。そして、自転し１０−２１Ｊの磁気の光子を作るエネルギーである。
電子のラブは１秒間に８×１０−１４Ｊの仕事をする。このエネルギーが１００％電気の光子の仕事エネルギーとなる。
電子のラブは１秒間公転し（走って）８×１０−１４Ｊの仕事をし、そのエネルギーを電気の光子のエネルギーとし、１秒間自転し１０−２１Ｊの仕事をし、そのエネルギーを磁気の光子のエネルギーにする素粒子である。
【発明の効果】
【０００６】原子の電子のラブが作る万有引力と成っている磁気の光子のエネルギーは、導線でできる磁気の光子のエネルギーの約６％である事が理解できた。
原子の電子のラブが作る万有引力と成っている磁気の光子のエネルギーは、原子の電子のラブが作る理論値の６％である事が理解できた。
２８．と３３．から、導線において、自由電子のラブは自分のエネルギーを１００％電気の光子のエネルギーにしている事は正しいと理解できた。
導線において、自由電子のラブが作る磁気の光子のエネルギーも理論値できている事が理解できた。
６％の磁気の光子より万有引力のエネルギーに成らないのは、原子から放出する磁気の光子の方向が異なるからで、６％の磁気の光子は方向が同じであることを示す。
電子のラブの８×１０−１４Ｊのエネルギーは、８×１０−１４Ｊの電気の光子を作るエネルギーである。
そして、１０−２１Ｊの磁気の光子を作るエネルギーである事が理解できた。
電子のラブは１秒間に８×１０−１４Ｊの仕事をする素粒子である事が理解できた。
電子のラブの仕事エネルギーが電気の光子のエネルギーとなり、磁気の光子のエネルギーに成る。
【図面の簡単な説明】
【図１】  １個の電子のラブから１秒間に磁気の光子は１０３２個できる。その６．２％である６．２×１０３０個が引力を作る磁気の光子となる。１個の電子のラブから１秒間に磁気の光子のエネルギーは、１０３２×１０−５３Ｊ＝１０−２１Ｊできる。その６．２％である６．２×１０−２３Ｊが引力を作る磁気の光子のエネルギーです。
【符号の説明】
１  １個の電子のラブから１秒間に放出する磁気の光子の数
２  万有引力となる磁気の光子の数
３  １個の電子のラブから１秒間に放出する磁気の光子のエネルギー
４  万有引力と成る磁気の光子のエネルギー
【図１】
2005285752.tif 000003